(57)【要約】      （修正有）【課題】成長記録としての装飾体を慣例的な周囲構成と調和を保ちながら視認しやすい位置に導入可能な節句人形セットを提供する。【解決手段】台座２上に人形が配置される節句人形セット１であって、表側に手形を押印可能な押印領域、及び、押印領域を囲むように縁部に沿って設けられた着色領域を有する色紙１０と、台座上に設置された際に、色紙を裏側から支持可能に構成されたスタンドと、を備える。【選択図】図１
0003200920.tif 000002
【実用新案登録請求の範囲】
【請求項１】
台座上に人形が配置される節句人形セットであって、
表側に手形を押印可能な押印領域、及び、該押印領域を囲むように縁部に沿って設けられた着色領域を有する色紙と、
前記台座上に設置された際に、前記色紙を裏側から支持可能に構成されたスタンドと、
を備え、
前記着色領域は、前記節句人形セットと観念的に関連ある色彩が施されていることを特とする節句人形セット。
【請求項２】
前記スタンドは、表面に少なくとも１の切込部を有する板部材からなり、前記板部材が前記切込部で折り曲げられた状態で前記台座上に立設可能な第１形状と、前記板部材が前記切込部で折り曲げられることなく平面形状を有する第２形状とを選択可能に構成されていることを特徴とする請求項１に記載の節句人形セット。
【請求項３】
前記少なくとも１の切込部の深さは、前記第１形状における前記板部材の折り曲げ角度に対応して設定されていることを特徴とする請求項２に記載の節句人形セット。
【請求項４】
前記スタンドは、第２形状において、前記第１形状で前記台座に接触する底辺のうち前記切込部より外側が所定角度で傾くように形成されることで、前記第１形状において前記スタンドが前記台座上に立設された際に、前記台座に対して垂直より所定角度だけ前傾するように構成されていることを特徴とする請求項２又は３に記載の節句人形セット。
【請求項５】
前記スタンドは、前記台座上に立設された際に、前記台座の表面に対して傾斜し、前記色紙を裏側から支持可能に構成された受け部を有し、
前記受け部は前記スタンドの中心線の両側に設けられていることを特徴とする請求項１から４のいずれか１項に記載の節句人形セット。
【請求項６】
前記スタンドは、前記受け部に対して鋭角を有し、前記受け部に支持された色紙を下側から支持する返し部を有することを特徴とする請求項５に記載の節句人形セット。
【考案の詳細な説明】
【技術分野】
【０００１】
本考案は、台座上に人形が配置される節句人形セットに関する。
【背景技術】
【０００２】
節句人形は豊かな四季の中で育まれた多くの節句にちなんで古くから親しまれており、特に、雛人形や五月人形は子供の成長にちなんで贈答品として利用される機会が多い。この種の節句人形は、人形本体の周囲に様々な装飾体を配置することによって、全体として節句に応じた統一性のある装飾効果が発揮されるように構成されている。
【０００３】
例えば特許文献１には、このような装飾体の一例として、人形が配置される台座の前面側に写真、手形、足形等が装飾された人形について開示されている。
【先行技術文献】
【特許文献】
【０００４】
【特許文献１】実用新案登録第３０４０４４０号公報
【考案の概要】
【考案が解決しようとする課題】
【０００５】
上述したように節句人形は子供の成長にちなんで贈答されることが多いため、子供の成長記録を兼ねたいという要望が存在している。子供の成長記録としては様々な形式が考えられるが、いずれにせよ、予め人形や装飾体の組み合わせが節句の種類に対応して慣例的に決められている節句人形セットに、新たな構成要素として導入する必要があるため、周囲の構成との調和を取る必要がある。特に、成長記録を視認しやすい位置に展示する場合には、成長記録への注目度が高くなる分、周囲構成との調和を取ることで全体的な統一感を持たせながら装飾効果を高めることが求められる。
【０００６】
尚、上記特許文献１では、写真、手形、足形等を台座前面に一体的にデザインしているが、デザインスペース確保のために台座サイズが大型化してしまう。そのため、従来の慣例的なレイアウトを大幅に変更しなければならず、また収納性も低下してしまうという問題がある。
【０００７】
本考案の少なくとも１実施形態は上述の問題点に鑑みなされたものであり、成長記録としての装飾体を慣例的な周囲構成と調和を保ちながら視認しやすい位置に導入可能な節句人形セットを提供することを目的とする。
【課題を解決するための手段】
【０００８】
本考案の少なくとも１実施形態に係る節句人形セットは上記課題を解決するために、台座上に人形が配置される節句人形セットであって、表側に手形を押印可能な押印領域、及び、該押印領域を囲むように縁部に沿って設けられた着色領域を有する色紙と、前記台座上に設置された際に、前記色紙を裏側から支持可能に構成されたスタンドと、を備え、前記着色領域は、前記節句人形セットと観念的に関連ある色彩が施されていることを特徴とする。
【０００９】
上記の構成によれば、成長記録としての装飾体たる色紙がスタンドで裏側から支持されることにより、台座上に視認可能な状態で設置される。このように設置される色紙には、手形が押印可能な押印領域の周囲を囲むように着色領域が設けられており、押印領域にある手形が周囲に比べてひきたたせられるように構成されている。また着色領域には、節句人形セットと観念的に関連ある色彩が施されることにより、他の構成要素との色彩的な調和を保つことで全体的な統一感を確保しながら、成長記録としての色紙を装飾品として導入することができる。
【図面の簡単な説明】
【００１０】
【図１】本考案の少なくとも１実施形態に係る節句人形セットの構成例を示す正面図である。
【図２】図１からスタンドで支持された色紙を抽出して示す斜視図である。
【図３】図２の側面図である。
【図４】図２及び図３のスタンドを抽出して示す斜視図である。
【図５】図４のスタンドの第１形状を上方から示す模式図である。
【図６】図４のスタンドの第２形状を示す平面図である。
【図７】本考案の少なくとも１実施形態に係る節句人形セットの他の構成例を示す正面図である。
【考案を実施するための形態】
【００１１】
以下、添付図面に従って本考案の実施形態について説明する。ただし、この実施形態に記載されている構成部品の寸法、材質、形状、その相対的配置等は、特定的な記載がない限り本考案の範囲をこれに限定する趣旨ではなく、単なる説明例にすぎない。
【００１２】
図１は本考案の少なくとも１実施形態に係る節句人形セット１の構成例を示す正面図であり、図２は図１からスタンド１２で支持された色紙１０を抽出して示す斜視図であり、図３は図２の側面図であり、図４は図２及び図３のスタンド１２を抽出して示す斜視図であり、図５は図４のスタンド１２の第１形状１８を上方から示す模式図であり、図６は図４のスタンド１２の第２形状２０を示す平面図であり、図７は本考案の少なくとも１実施形態に係る節句人形セット１の他の構成例１’を示す正面図である。
【００１３】
本考案の少なくとも１実施形態に係る節句人形セット１は、台座２上に少なくとも１体の人形４が配置されて構成される。図１には雛人形セットである節句人形セット１が例示されており、台座２上に複数体の人形４が装飾体６とともに配置されている。台座２は３段に亘る階段形状を有しており、各段に人形４及び装飾体６が適宜配列されている。具体的に説明すると、上段２ａには、人形４として男雛及び女雛が配置されるとともに、装飾体６として三方飾り、金屏風及びぼんぼりが配置されている。中段２ｂには、人形４として三人官女が配置されるとともに、装飾体６として高坏が配置されている。下段２ｃには、装飾体６として橘、重箱、お駕籠、御所車及び桜が配置されるとともに、スタンド１２に支持された色紙１０が配置されている。この色紙１０は、後述するように、節句人形セット１の贈り先である子供の成長記録として手形を押印可能な台紙からなる装飾体６の一種である。
【００１４】
尚、図１に示されるレイアウトはあくまで一例に過ぎず、例えば、台座２、人形４及び装飾体６の構成、数量及び種類等は適宜変更可能である。
【００１５】
スタンド１２に支持された色紙１０は、図２に示されるように、略四角形状の台紙であり、スタンド１２で支持された際に安定的な形状を維持可能な程度の強度を有する厚紙が用いられている。色紙１０の表側には、節句人形セット１の贈り先である子供の成長記録たる手形が押印可能な押印領域１０ａと、該押印領域１０ａを囲むように縁部に沿って設けられた着色領域１０ｂが設けられている。押印領域１０ａには、節句人形セット１の贈り先となる子供の手形を押印するためのスペースが設けられている。図２の例では、このような手形用のスペースに、節句のタイトルや祝辞、節句人形セット１の贈り先となる子供の氏名や生年月日の記入欄のような付随的なデザインが適宜施されている。
【００１６】
着色領域１０ｂには、節句人形セット１が対象とする節句に観念的に関連がある色彩（例えば、図１のような雛人形セットの場合、“永遠に”という意味合いを持つ金色）が施されている。着色領域１０ｂには、典型的には、押印領域１０ａに比べて鮮やかな色彩が用いられることにより、着色領域１０ｂによって囲まれる押印領域１０ａが視覚的にひきたつように構成されている。
尚、着色領域１０ｂは押印領域１０ａの縁部の少なくとも１部を囲んでいれば足りる。すなわち、着色領域１０ｂは押印領域１０ａの縁部全体に亘って設けられていてもよいし、１部縁部のみに偏在的に設けられていてもよい。
【００１７】
スタンド１２は、台座２上に色紙１０を支持した状態で安定的に立設可能に構成されている。具体的には、スタンド１２は、台座２上に立設された際に、色紙１０を裏側から支持可能に構成された受け部１４と、該受け部１４に支持された色紙を下側から支持する返し部１６とを有する。受け部１４は、台座２の表面に対して角度θ１で傾くように傾斜状に形成されており、色紙１０を立てかけるように支持する。
【００１８】
受け部１４はスタンド１２の中心線１５の両側にそれぞれ設けられている。これにより、スタンド１２は色紙１０に対して複数箇所に接触することでバランスを保ちながら支持することができ、安定的な支持構造が形成されている。特に、各受け部１４には、返し部１６が設けられることにより、色紙１０を下方側からも支持することで良好な安定性が得られるようになっている。
【００１９】
このような返し部１６は、受け部１４に対する角度θ２が鋭角になるように形成されている。これにより、色紙１０がより安定して支持されるので、仮に振動を受けた場合であっても色紙１０が台座２から脱落するリスクを効果的に抑えることができる。
【００２０】
このようなスタンド１２は、平面状の板部材を切込部２２に沿って折り曲げ可能に構成されている。そのため、切込部２２に沿って折り曲げ変形がなされることにより、スタンド１２は、図４に示されるように、台座２上に立設可能な第１形状１８（実線）と、平坦形状を有する第２形状２０（二点鎖線）とを選択可能になっている。
【００２１】
切込部２２は、スタンド１２の立設時に台座２に接触する底辺１３に対して垂直に２本設けられており、その深さは、第１形状１８における折り曲げ角度θ３に対応して設定されている。切込部２２が深くなると折り曲げ角度θ３は小さくなり、切込部２２が浅くなると折り曲げ角度θ３は大きくなる。折り曲げ角度θ３は、このような切込部２２の深さに加えて、板部材の材料や厚さに依存するため、これらを総合的に考慮した上で所定角度になるように決定されるとよい。
【００２２】
スタンド１２が台座２上で色紙１０を支持する際には、第１形状１８が選択される。一方、収容時には、スタンド１２は切込み部２２を基準に変形されることで平面的な第２形状２０が選択される。第２形状２０は平坦であるため、節句人形セット１を収納する際に占めるスペースが少なくて済み、保管場所の確保に有利である。例えば、第２形状２０に戻されたスタンド１２を色紙１０に重ねて一緒に収容することで、部材点数の多い節句人形セットを保管する際にも、紛失リスクを抑えながらコンパクトな収納ができる。
【００２３】
尚、スタンド１２もまた節句人形セット１に観念的に関連のある色彩で着色されていてもよい。本実施形態では特に、スタンド１２は“魔を払う”という意味合いを持つ赤色に着色されている。またスタンド１２を構成する板部材の材料としては、スタンド１２が台座２上を設置された際に台座２の表面を傷つけることなく、且つ、色紙１２を支持するのに十分な強度を有するように選定するとよい。
【００２４】
また図６に示されるように、スタンド１２は第２形状２０において、第１形状１８で台座２に接触する底辺１３のうち切込部２２より外側が所定角度θ４で傾くように形成されている。これにより、スタンド１２が第１形状１８に組み立てられた際に、図３に示されるようにスタンド１２が台座２上に立設された際に、台座２に対して垂直より所定角度θ５（典型的には幾何学的にθ４と等しい）だけ前傾し、良好な安定性が得られる。
【００２５】
上記説明では雛人形セットである節句人形セット１を例に述べたが、上述の技術的思想は他の節句人形セットについても広く適用可能である。例えば図７には五月人形セット１’への適用例が示されている。
尚、図７では図１乃至図６で示した実施形態に相当する構成について共通する符号を付すこととし、重複する説明は省略することとする。
【００２６】
以上説明したように、本考案の少なくとも１実施形態に係る節句人形セット１によれば、成長記録としての装飾体６たる色紙１０がスタンド１２で裏側から支持されることにより、台座２上に視認可能な状態で設置される。このように設置される色紙１０には、手形が押印可能な押印領域１０ａの周囲を囲むように着色領域１０ｂが設けられており、押印領域１０ａにある手形が周囲に比べてひきたたせられるように構成されている。また着色領域１０ｂには、節句人形セット１と観念的に関連ある色彩が施されることにより、他の構成要素との色彩的な調和を保つことで全体的な統一感を確保しながら、成長記録としての色紙１０を装飾品として導入することができる。
【符号の説明】
【００２７】
１  節句人形セット
２  台座
４  人形
６  装飾体
１０  色紙
１２  スタンド
１３  底辺
１４  受け部
１６  返し部
１８  第１形状
２０  第２形状
２２  切込部
【図１】
0003200920.tif 000003
【図２】
0003200920.tif 000004
【図３】
0003200920.tif 000005
【図４】
0003200920.tif 000006
【図５】
0003200920.tif 000007
【図６】
0003200920.tif 000008
【図７】
0003200920.tif 000009